(57)【要約】      （修正有）【課題】一般型、精密削り型または強力型の刃具に利用されることが可能であり、誤差なく迅速に位置決めて角度を固定して研磨を行うことができる、多種の刃具を研磨する前に位置決め角度を調整可能な校正取付具を提供する。【解決手段】挟みユニットと、校正ユニットと、を備え、挟みユニットは、後チャック１０と、円筒状挟み部材２０と、中空のロックリング３０と、前チャック４０と、中空の位置決めリング５０と、を備え、後チャック１０の外周面におねじ部１１が設けられており、後チャック１０の中空の内部に止め部１２が設けられており、円筒状挟み部材２０に挟み穴２０１が設けられており、円筒状挟み部材２０の一側の外周面に外円錐部２１が設けられており、校正ユニットは、中空の位置決め本体６０と、中空の回転蓋７０と、位置決めピン７４と、を備え、位置決め本体６０の一側には、位置決めリング５０の位置決め切り面５３に対応する校正ブロック６１が設けられている。【選択図】図２
0003220811.tif 000002
【実用新案登録請求の範囲】
【請求項１】
多種の刃具を研磨する前に位置決め角度を調整することが可能であり、
挟みユニットと、校正ユニットと、を備え、前記挟みユニットは、後チャックと、円筒状挟み部材と、中空のロックリングと、前チャックと、中空の位置決めリングと、を備え、前記後チャックの外周面におねじが設けられており、前記後チャックの中空の内部に止め部が設けられており、前記円筒状挟み部材に挟み穴が設けられており、前記円筒状挟み部材の一側の外周面に外円錐部が設けられており、前記外円錐部は縮径部と一体成形され、前記外円錐部と前記縮径部とに若干のスロットがそれぞれ設けられており、前記円筒状挟み部材の前記縮径部は前記後チャック内に収容され、前記縮径部は前記止め部に当接し、前記ロックリングの内面には、止め縁と、めねじ部とが設けられており、前記ロックリングは前記後チャックの外周面に取り付けられており、前記前チャックの一側の外周面に凸縁部が設けられており、前記前チャックの中空の内部には、内円錐穴と、めねじ部とが設けられており、前記内円錐穴は前記円筒状挟み部材の前記外円錐部を収容し、前記前チャックのめねじ部は前記後チャックのおねじ部と螺着し、前記位置決めリングの一側の外周面には、前記ロックリングのめねじ部と螺着するおねじ部が設けられており、前記位置決めリングの内周面には、前記前チャックの凸縁部に当接する階段部が設けられており、前記位置決めリングの外周面には、位置決め切り面が少なくとも二つ設けられている校正取付具において、
前記校正ユニットは、中空の位置決め本体と、中空の回転蓋と、位置決めピンと、を備え、前記位置決め本体の一側には、前記位置決めリングの前記位置決め切り面に対応する校正ブロックが設けられており、前記各校正ブロックを前記位置決め切り面に当接することにより、前記位置決め切り面と刃具の刃先との開角の角度が校正され、前記位置決め本体の前記校正ブロックから遠く離れた側には、位置決め穴が一つ以上設けられており、これらの前記位置決め穴は等間隔に設けられ、前記位置決め本体の他側にねじ穴が二つ設けられており、前記回転蓋には、前記位置決め本体の二つのねじ穴に対応する二つの調整長穴が設けられており、二つのネジは、それぞれ前記二つの調整長穴を挿通して前記二つのねじ穴にねじ込むが、前記回転蓋は回転することが可能であり、前記回転蓋の表面には、複数の区域に締結穴が設けられており、前記各区域の前記締結穴は、更に、一種類、二種類または三種類のタイプの前記刃具が使用することが可能な締結穴にされ、前記位置決めピンは、一端にテーパーヘッドが設けられており、他端におねじが設けられており、前記位置決めピンは、前記位置決め穴のうちの一つと前記締結穴のうちの一つとに差し込んで位置決められ、前記回転蓋の表面にスライド溝が設けられており、前記スライド溝にスライド位置決め片がスライド可能に設けられており、前記スライド位置決め片の中段に欠け切が設けられており、前記欠け切内には、前記位置決め本体に向く方向に位置決め突起が設けられており、前記位置決め突起は前記刃具の中心にスライドして、前記刃具が回転し、これにより、前記位置決め突起は前記刃具の刃先に接触して即時に位置決められることを特徴とする校正取付具。
【請求項２】
一種類、二種類または三種類のタイプの前記刃具は、一般型、強力型および精密削り型の刃具を含むことを特徴とする、請求項１に記載の校正取付具。
【請求項３】
前記回転蓋の表面の区域は、１０°の螺旋角の刃具の研磨に利用される第１区域と、３０°の螺旋角の刃具の研磨に利用される第２区域と、３０°以上の螺旋角の刃具の研磨に利用される第３区域と、を含み、各区域は、更に、文字または色で区分されることを特徴とする、請求項１に記載の校正取付具。
【請求項４】
前記スライド位置決め片には、大径長穴と、小径長穴とが設けられており、前記スライド溝には、大径ねじ穴と、小径ねじ穴とが設けられており、これらを揃えて大径ネジ及び小径ネジによってそれぞれ締結することにより、ポカヨケ効果を得ることが可能であり、前記大径ネジ又は前記小径ネジには、更に、バネ、ワッシャー、又は弾性付きワッシャーが嵌め設けられていることを特徴とする、請求項１に記載の校正取付具。
【考案の詳細な説明】
【技術分野】
【０００１】
本考案は、刃具を位置決めて研磨する装置に関し、特に、挟みユニットが刃具を挟んで長さを固定した後、校正ユニットにより、位置決め切り面と刃先との角度を校正してロックした後、挟みユニットを研磨機に移動して刃具の角度を希望通りに研磨する、多種の刃具を研磨する前に位置決め角度を調整可能な校正取付具に関するものである。
【背景技術】
【０００２】
台湾実用新案第１０４２０２３４４号の「研磨機の刃具を調整して位置決める構造」は、本願の出願者から提案した。このような構造は、後チャックと、円筒状を呈する挟み部材と、ロックリングと、前チャックと、位置決めリングと、を備える。前記後チャックの外周面におねじ部が設けられている。前記後チャックの内周面に止め部が設けられている。弾性的に内へ縮小することが可能な前記挟み部材の外周面に外円錐部が設けられている。前記外円錐部から遠く離れた側に縮径部が設けられている。前記縮径部は前記後チャックに収容される。前記ロックリングの内面に止め縁が設けられている。前記ロックリングの内面にめねじ部が設けられている。前記ロックリングは、前記後チャックの外周面に取り付けられている。前記前チャックの一側の外周面に凸縁部が設けられている。前記前チャックの内周面には、内円錐穴と、めねじ部とが設けられている。前記内円錐穴は円筒状を呈する前記挟み部材の前記外円錐部を収容する。前記前チャックの前記めねじ部は前記後チャックの前記おねじ部に螺着する。前記位置決めリングは前記ロックリングに螺着する。前記位置決めリングの内周面には、前記前チャックの前記凸縁部に当接する階段部が設けられている。前記位置決めリングの外周面には、二つの位置決め切り面が設けられている。これにより、刃具を位置決めるときに、一回で所定の位置に着くことが可能であり、繰り返して調整して位置決めることを必要とせず、刃具の角度線を迅速にチェックすることが可能であり、刃具の角度線を迅速に調整することも可能である。これにより、一つ以上から複数の刃先を持つ刃具を研磨することができ、刃具の位置決め及び校正が便利となり、操作が迅速となる。
【０００３】
従来の研磨機の刃具を調整して位置決める構造は、刃具を調整して位置決めることができるが、その位置決めは、凸レンズを一本の校正線に合わせて、仮想イメージにより位置決めを行う。しかし、仮想イメージによる位置決めの精確度は、実体による位置決めより低いため、視角の方向またはユーザーの見る習慣を考慮することが必要である。これにより、仮想イメージによる校正の偏差値は極めて大きい。なお、本考案に係る校正取付具によれば、実体による位置決めを採用するため、突起を刃先に接触して位置決めることにより、何れのユーザーであっても位置決めに誤差が発生しない。
【先行技術文献】
【特許文献】
【０００４】
【特許文献１】台湾実用新案第１０４２０２３４４号公報
【考案の概要】
【考案が解決しようとする課題】
【０００５】
本考案の主な目的は、挟みユニットが刃具を挟んで長さを固定した後、校正ユニットにより、位置決め切り面と刃先との角度を校正してロックした後、１０°の螺旋角、３０°の螺旋角または３０°以上の螺旋角の刃具に合わせて、一般型、精密削り型または強力型の刃具に利用されることが可能であり、そして仮想イメージによる位置決めの代わりに、実体による位置決めを採用するため、誤差なく迅速に位置決めて角度を固定して研磨を行うことができる、多種の刃具を研磨する前に位置決め角度を調整可能な校正取付具を提供することにある。
【課題を解決するための手段】
【０００６】
本考案に係る校正取付具によると、多種の刃具を研磨する前に位置決め角度を調整することが可能であり、
挟みユニットと、校正ユニットと、を備え、挟みユニットは、後チャックと、円筒状挟み部材と、中空のロックリングと、前チャックと、中空の位置決めリングと、を備え、後チャックの外周面におねじが設けられており、後チャックの中空の内部に止め部が設けられており、円筒状挟み部材に挟み穴が設けられており、円筒状挟み部材の一側の外周面に外円錐部が設けられており、外円錐部は縮径部と一体成形され、外円錐部と縮径部とに若干のスロットがそれぞれ設けられており、円筒状挟み部材の縮径部は後チャック内に収容され、縮径部は止め部に当接し、ロックリングの内面には、止め縁と、めねじ部とが設けられており、ロックリングは後チャックの外周面に取り付けられており、前チャックの一側の外周面に凸縁部が設けられており、前チャックの中空の内部には、内円錐穴と、めねじ部とが設けられており、内円錐穴は円筒状挟み部材の外円錐部を収容し、前チャックのめねじ部は後チャックのおねじ部と螺着し、位置決めリングの一側の外周面には、ロックリングのめねじ部と螺着するおねじ部が設けられており、位置決めリングの内周面には、前チャックの凸縁部に当接する階段部が設けられており、位置決めリングの外周面には、位置決め切り面が少なくとも二つ設けられている校正取付具において、
校正ユニットは、中空の位置決め本体と、中空の回転蓋と、位置決めピンと、を備え、位置決め本体の一側には、位置決めリングの位置決め切り面に対応する校正ブロックが設けられており、各校正ブロックを位置決め切り面に当接することにより、位置決め切り面と刃具の刃先との開角の角度が校正され、位置決め本体の校正ブロックから遠く離れた側には、位置決め穴が一つ以上設けられており、これらの位置決め穴は等間隔に設けられ、位置決め本体の他側にねじ穴が二つ設けられており、回転蓋には、位置決め本体の二つのねじ穴に対応する二つの調整長穴が設けられており、二つのネジは、それぞれ二つの調整長穴を挿通して二つのねじ穴にねじ込むが、回転蓋は回転することが可能であり、回転蓋の表面には、複数の区域に締結穴が設けられており、各区域の締結穴は、更に、一種類、二種類または三種類のタイプの刃具が使用することが可能な締結穴にされ、位置決めピンは、一端にテーパーヘッドが設けられており、他端におねじが設けられており、位置決めピンは、位置決め穴のうちの一つと締結穴のうちの一つとに差し込んで位置決められ、回転蓋の表面にスライド溝が設けられており、スライド溝にスライド位置決め片がスライド可能に設けられており、スライド位置決め片の中段に欠け切が設けられており、欠け切内には、位置決め本体に向く方向に位置決め突起が設けられており、位置決め突起は刃具の中心にスライドして、刃具が回転し、これにより、位置決め突起は刃具の刃先に接触して即時に位置決められることを特徴とする。
【０００７】
本考案に係る校正取付具によると、一種類、二種類または三種類のタイプの刃具は、一般型、強力型および精密削り型の刃具を含むことを特徴とする。
【０００８】
本考案に係る校正取付具によると、回転蓋の表面の区域は、１０°の螺旋角の刃具の研磨に利用される第１区域と、３０°の螺旋角の刃具の研磨に利用される第２区域と、３０°以上の螺旋角の刃具の研磨に利用される第３区域と、を含み、各区域は、更に、文字または色で区分されることを特徴とする。
【０００９】
本考案に係る校正取付具によると、スライド位置決め片には、大径長穴と、小径長穴とが設けられており、スライド溝には、大径ねじ穴と、小径ねじ穴とが設けられており、これらを揃えて大径ネジ及び小径ネジによってそれぞれ締結することにより、ポカヨケ効果を得ることが可能であり、大径ネジ又は小径ネジには、更に、バネ、ワッシャー、又は弾性付きワッシャーが嵌め設けられていることを特徴とする。
【考案の効果】
【００１０】
本考案に係る校正取付具によれば、挟みユニットが刃具を挟んで長さを固定した後、校正ユニットにより、位置決め切り面と刃先との角度を校正してロックした後、１０°の螺旋角、３０°の螺旋角または３０°以上の螺旋角の刃具に合わせて、一般型、精密削り型または強力型の刃具に利用されることが可能であり、そして仮想イメージによる位置決めの代わりに、実体による位置決めを採用するため、誤差なく迅速に位置決めて角度を固定して研磨を行うことができる、多種の刃具を研磨する前に位置決め角度を調整することが可能であるという効果を有する。
【図面の簡単な説明】
【００１１】
【図１】本考案の一実施形態に係る校正取付具を示す斜視図である。
【図２】本考案の一実施形態に係る校正取付具を示す分解斜視図である。
【図３】本考案の一実施形態に係る位置決め突起が刃先に当たって位置決められる状態を図である。
【図４】本考案の一実施形態に係る位置決め穴と締結穴との角度の偏差の状態を示す図である。
【図５】本考案の一実施形態に係る挟みユニットが刃具を挟んだ状態を示す斜視図である。
【図６】本考案の一実施形態に係る校正ユニットを後から見た斜視図である。
【図７】本考案の一実施形態に係る校正ユニットを前から見た斜視図である。
【図８】本考案の一実施形態に係る校正取付具を示す断面図である。
【考案を実施するための形態】
【００１２】
以下、本考案の実施の形態を図面に基づいて説明する。
【００１３】
図１、図２及び図８を参照する。本考案に係る校正取付具は、多種の刃具を研磨する前に位置決め角度を調整することが可能であり、挟みユニットＡと、校正ユニットＢと、を備える。
【００１４】
挟みユニットＡは、後チャック１０と、円筒状挟み部材２０と、中空のロックリング３０と、前チャック４０と、中空の位置決めリング５０と、を備える。後チャック１０の外周面におねじ部１１が設けられている。後チャック１０の中空の内部に止め部１２が設けられている。円筒状挟み部材２０に挟み穴２０１が設けられている。円筒状挟み部材２０の一側の外周面に外円錐部２１が設けられている。外円錐部２１は縮径部２２と一体成形される。外円錐部２１と縮径部２２とに若干のスロット２３がそれぞれ設けられている。円筒状挟み部材２０の縮径部２２は後チャック１０に収容される。縮径部２２は止め部１２に当接する。中空のロックリング３０の内面には、止め縁３１と、めねじ部３２とが設けられている。ロックリング３０は後チャック１０の外周面に取り付けられている。前チャック４０の一側の外周面に凸縁部４１が設けられている。前チャック４０の中空の内部には、内円錐穴４２と、めねじ部４３とが設けられている。内円錐穴４２は円筒状挟み部材２０の外円錐部２１を収容する。前チャック４０のめねじ部４３は後チャック１０のおねじ部１１と螺着する。中空の位置決めリング５０の一側の外周面には、ロックリング３０のめねじ部３２と螺着するおねじ部５１が設けられている。位置決めリング５０の内周面には、前チャック４０の凸縁部４１に当接する階段部５２が設けられている。位置決めリング５０の外周面には、位置決め切り面５３が少なくとも二つ設けられている。
【００１５】
校正ユニットＢは、中空の位置決め本体６０と、中空の回転蓋７０と、位置決めピン７４と、を備える。位置決め本体６０の一側には、位置決めリング５０の位置決め切り面５３に対応する校正ブロック６１が設けられている。各校正ブロック６１は位置決め切り面５３に当接することにより、位置決め切り面５３と刃具９０の刃先９１との開角の角度を校正する。位置決め本体６０の校正ブロック６１から遠く離れた側には、位置決め穴６２が一つ以上設けられている。これらの位置決め穴６２は等間隔に設けられる。位置決め本体６０の他側にねじ穴６３が二つ設けられている。回転蓋７０には、位置決め本体６０の二つのねじ穴６３に対応する二つの調整長穴７１が設けられている。二つのネジ７２は、それぞれ二つの調整長穴７１を挿通して二つのねじ穴６３にねじ込むが、回転蓋７０は回転することが可能である。回転蓋７０の表面には、複数の区域に締結穴７３が設けられている。各区域の締結穴７３は、更に、一種類、二種類または三種類のタイプの刃具９０が使用することが可能な締結穴７３にされる。位置決めピン７４は、一端にテーパーヘッド７４１が設けられており、他端におねじ７４２が設けられている。位置決めピン７４は、位置決め穴６２のうちの一つと締結穴７３のうちの一つとに差し込んで位置決められる。回転蓋７０の表面にスライド溝７５が設けられている。スライド溝７５にスライド位置決め片８０がスライド可能に設けられている。スライド位置決め片８０の中段に欠け切８１が設けられている。欠け切８１内には、位置決め本体６０に向く方向に位置決め突起８１１が設けられている。位置決め突起８１１は刃具９０の中心にスライドして、刃具９０が回転する。これにより、位置決め突起８１１は刃具９０の刃先９１に接触して即時に位置決められる。
【００１６】
一種類、二種類または三種類のタイプの刃具９０は、一般型、強力型および精密削り型の刃具を含む。
【００１７】
回転蓋７０の表面の区域は、１０°の螺旋角の刃具の研磨に利用される第１区域Ｃと、３０°の螺旋角の刃具の研磨に利用される第２区域Ｄと、３０°以上の螺旋角の刃具の研磨に利用される第３区域Ｅと、を含む。各区域は、更に、文字または色で区分される。
【００１８】
スライド位置決め片８０には、大径長穴８２と、小径長穴８３とが設けられている。スライド溝７５には、大径ねじ穴７５１と、小径ねじ穴７５２とが設けられている。これらを揃えて大径ネジ８４及び小径ネジ８５によってそれぞれ締結することにより、ポカヨケ効果を得ることが可能である。大径ネジ８４又は小径ネジ８５には、更に、バネ、ワッシャー、又は弾性付きワッシャーが嵌め設けられている。
【００１９】
図４を参照する。刃具９０は、一般型、強力型および精密削り型の刃具に分けられるため、刃具９０の刃先９１と位置決め切り面５３との角度が若干に変わる。一般型の位置決め穴６２を締結穴７３に揃えることを基準点とすれば、強力型の締結穴７３を時計方向回転角度（-θ）に回転しないと、位置決め穴６２に揃えることができず、精密削り型の締結穴７３を反時計方向回転角度（+θ）に回転しないと、位置決め穴６２に揃えることができない。なお、θ角度の数値は刃具の螺旋角の角度によって決まる。
【００２０】
図５から図７を参照する。刃具９０の突出の長さを調整した後、前チャック４０を後チャック１０に締め付けることにより、その内部にある円筒状挟み部材２０が変形して刃具９０を挟んで、刃具９０の長さを固定する。その後、挟みユニットＡは、位置決め切り面５３に校正ユニットＢの位置決め本体６０の校正ブロック６１を当接することにより、位置決め切り面５３と刃具９０の刃先９１との角度を校正する。
【００２１】
図３を参照する。挟みユニットＡを校正ユニットＢに当接する前には、まず、スライド位置決め片８０の位置決め突起８１１をサイドにスライドして、挟みユニットＡを校正ユニットＢに当接して、スライド位置決め片８０の位置決め突起８１１を刃具９０の中心にスライドして、ロックリング３０を緩めて刃具９０を回転することが必要である。これにより、刃先９１は位置決め突起８１１に当接して即時に位置決められ、そして実体による位置決めであるため、視覚的な誤差は発生しない。
【００２２】
また、挟みユニットにより、刃具を挟んで刃具の長さを固定した後、校正ユニットにより、位置決め切り面と刃先との角度を校正してロックした後、研磨機に挟みユニットを移動すると、刃具の角度を希望通りに研磨することができる。
【符号の説明】
【００２３】
１０  後チャック
１１  おねじ部
１２  止め部
２０  円筒状挟み部材
２１  外円錐部
２２  縮径部
２３  スロット
３０  ロックリング
３１  止め縁
３２  めねじ部
４０  前チャック
４１  凸縁部
４２  内円錐穴
４３  めねじ部
５０  位置決めリング
５１  おねじ部
５２  階段部
５３  位置決め切り面
６０  位置決め本体
６１  校正ブロック
６２  位置決め穴
６３  ねじ穴
７０  回転蓋
７１  調整長穴
７２  ネジ
７３  締結穴
７４  位置決めピン
７５  スライド溝
８０  スライド位置決め片
８１  欠け切
８２  大径長穴
８３  小径長穴
８４  大径ネジ
８５  小径ネジ
９０  刃具
９１  刃先
２０１  挟み穴
７４１  テーパーヘッド
７４２  おねじ
７５１  大径ねじ穴
７５２  小径ねじ穴
８１１  位置決め突起
Ａ  挟みユニット
Ｂ  校正ユニット
Ｃ  第１区域
Ｄ  第２区域
Ｅ  第３区域
+θ  反時計方向回転角度
-θ  時計方向回転角度
【図１】
0003220811.tif 000003
【図２】
0003220811.tif 000004
【図３】
0003220811.tif 000005
【図４】
0003220811.tif 000006
【図５】
0003220811.tif 000007
【図６】
0003220811.tif 000008
【図７】
0003220811.tif 000009
【図８】
0003220811.tif 000010